(57)【要約】【課題】どのような姿勢であっても、被写体へ焦点を精度良く合わせることが可能なレンズ駆動装置を提供する。【解決手段】レンズを保持するとともに光軸方向に移動可能な移動体（スリーブ１３等）と、移動体（スリーブ１３等）を支持する支持体（ヨーク１１，ホルダ１９等）と、移動体（スリーブ１３等）を駆動する駆動機構（マグネット１７，コイル１８等）と、光軸方向における移動体（スリーブ１３等）の位置を検出する位置検出手段（光学式センサ２２）と、を有する。【選択図】図３
2009145706.tif 000002
【特許請求の範囲】
【請求項１】
レンズを保持するとともに光軸方向に移動可能な移動体と、
前記移動体を支持する支持体と、
前記移動体を駆動する駆動機構と、
光軸方向における前記移動体の位置を検出する位置検出手段と、を有するレンズ駆動装置。
【請求項２】
前記駆動機構は、前記移動体側に保持されたコイルと、当該コイルと対向する位置で前記支持体に支持されたマグネットとを備え、
前記マグネットは、複数のマグネット片が周方向に所定の隙間を介して配置され、
前記移動体は、前記所定の隙間を通じて径方向外側に向かって突出する突起部を備え、
前記位置検出手段は、前記マグネットの外周側に配置されていることを特徴とする請求項１記載のレンズ駆動装置。
【請求項３】
前記突起部のうち前記位置検出手段に対向する面には、前記位置検出手段から出射した光を反射する反射面が形成されていることを特徴とする請求項２記載のレンズ駆動装置。
【請求項４】
レンズの光軸を挟んで前記位置検出手段と反対側の位置に、前記支持体又は前記移動体の重心を調整するバランサーが形成されていることを特徴とする請求項１から３のいずれか記載のレンズ駆動装置。
【請求項５】
前記位置検出手段は、少なくとも一部がカバー部で覆われていることを特徴とする請求項１から４のいずれか記載のレンズ駆動装置。
【請求項６】
前記突起部は、前記支持体に対する前記移動体の度あたり部とは異なる位置に形成されていることを特徴とする請求項２から５のいずれか記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば特許文献１参照）。
【０００４】
特許文献１に開示されたレンズ駆動装置は、移動レンズ体と、移動レンズ体を光軸方向に移動させる駆動機構と、移動レンズ体を光軸方向に移動可能に支持する固定体（ヨーク）と、移動レンズ体の移動を規制する規制手段（板バネ）とを有している。また、駆動機構は、マグネットとコイルを有している。そして、コイルに電流を供給して電磁力を発生させる一方、規制手段によって電磁力に対向する規制力を発生させ、両者の大きさを調整することによって、移動レンズ体を所望の位置に停止させることができる。なお、通常撮影時には、例えば磁気バネや上述した板バネによって、移動レンズ体に磁気的又は機械的な一定の力Ｆが加えられ、移動レンズ体はヨークに押し付けられた状態になっている。
【０００５】
【特許文献１】特開２００７−９４３６４号公報
【発明の開示】
【発明が解決しようとする課題】
【０００６】
しかしながら、レンズ駆動装置の横方向に向けたり逆の方向に向けたりする姿勢変化に伴って、移動レンズ体の自重に起因する力（重力［ｍｇ］）が上述したＦに上乗せされたり、この力が上述したＦを打ち消したりする。そうすると、レンズ駆動装置の始動に要する電流値等の特性に差が生じる。その結果、姿勢による特性差が大きいレンズ駆動装置では、ある姿勢では被写体へ焦点があっていても、他の姿勢では焦点が合わずにピンぼけになる可能性がある。
【０００７】
本発明は、以上の点に鑑みてなされたものであり、その目的は、どのような姿勢であっても、被写体へ焦点を精度良く合わせることが可能なレンズ駆動装置を提供することにある。
【課題を解決するための手段】
【０００８】
以上のような課題を解決するために、本発明は、以下のものを提供する。
【０００９】
（１）  レンズを保持するとともに光軸方向に移動可能な移動体と、前記移動体を支持する支持体と、前記移動体を駆動する駆動機構と、光軸方向における前記移動体の位置を検出する位置検出手段と、を有するレンズ駆動装置。
【００１０】
本発明によれば、レンズ駆動装置に、移動体と支持体と駆動機構と、光軸方向における移動体の位置を検出する位置検出手段が設けられているので、被写体へ焦点を精度良く合わせることができる。すなわち、位置検出手段によって、光軸方向における移動体の相対位置を検出し、コイルに流す電流値を調整すれば、移動体を所望の位置に停止させることができるので、レンズ駆動装置がどのような姿勢であっても、被写体へ焦点を精度良く合わせることができる。
【００１１】
ここで、「位置検出手段」については、その種類・数・形状等の如何は問わない。例えば、光学式センサであってもよいし、磁気式センサであってもよい。また、１個だけではなく、複数個設けてもよい。
【００１２】
（２）  前記駆動機構は、前記移動体側に保持されたコイルと、当該コイルと対向する位置で前記支持体に支持されたマグネットとを備え、前記マグネットは、複数のマグネット片が周方向に所定の隙間を介して配置され、前記移動体は、前記所定の隙間を通じて径方向外側に向かって突出する突起部を備え、前記位置検出手段は、前記マグネットの外周側に配置されていることを特徴とするレンズ駆動装置。
【００１３】
本発明によれば、上述した駆動機構には、コイルとマグネットが設けられ、そのマグネットは、複数のマグネット片が周方向に所定の隙間を介して配置されている。一方、上述した移動体には、この所定の隙間を通じて径方向外側に向かって突出する突起部が設けられている。このような構造において、上述した位置検出手段は、マグネットの外周側に配置されているので、マグネットの外周側において移動体の位置検出を行うことができる。
【００１４】
したがって、レンズ駆動装置の光軸方向の厚みが増すのを防ぐことができ、ひいては装置全体の薄型化を図りつつ、被写体へ焦点を精度良く合わせることができる。また、上述のとおり突起部は、分割されたマグネットの隙間を通じて径方向外側に向かって突出していることから、マグネットを減らす必要もなく、移動体の推進力低下を防ぐことができる。さらに、光学式の位置検出手段を用いた場合には、マグネットの存在によって、センサの光がレンズ（撮像素子）に入り込むのを防ぐことができる。
【００１５】
ここで、「突起部」は、移動体から突出する部位であるが、移動体と一体形成されていてもよいし、移動体と別体形成されていてもよい。また、突起部の大きさ・形状については、その如何は問わない。また、例えば「所定の隙間」が複数ある場合には、少なくとも一の隙間を通じて径方向外側に向かっていれば足り、全ての隙間を通じて径方向外側に向かって突出していなくてもよい。
【００１６】
さらに、この「突起部」の材質についても、その如何は問わない。例えば、「突起部」に永久磁石等の磁性体を用い、位置検出手段として磁気抵抗効果素子（ＭＲ素子）を用いて、「突起部」の相対位置を検出すれば、移動体の位置を磁気的に検出することができる。一方、「突起部」に光反射面を有する金属を用い、位置検出手段として発光素子及び受光素子を用いて、「突起部」の相対位置を検出すれば、移動体の位置を光学的に検出することができる。
【００１７】
（３）  前記突起部のうち前記位置検出手段に対向する面には、前記位置検出手段から出射した光を反射する反射面が形成されていることを特徴とするレンズ駆動装置。
【００１８】
本発明によれば、上述した突起部のうち位置検出手段に対向する面には、位置検出手段から出射した光を反射する反射面が形成されていることとしたので、移動体の位置を光学的に検出することができる。
【００１９】
なお、この「反射面」については、「突起部」の材質に起因する面であってもよいし、「突起部」に対して別途形成した面であってもよい。例えば、「突起部のうち位置検出手段に対向する面」に、アルミテープを貼ってもよいし、薄い金属膜を形成してもよいし、金属を蒸着してもよい。
【００２０】
（４）  レンズの光軸を挟んで前記位置検出手段と反対側の位置に、前記支持体又は前記移動体の重心を調整するバランサーが形成されていることを特徴とするレンズ駆動装置。
【００２１】
本発明によれば、レンズの光軸を挟んで前記位置検出手段と反対側の（或いは対称となる）位置に、支持体又は移動体の重心を調整するバランサーが形成されていることとしたので、レンズ駆動装置をモジュール（撮像素子など）に組み付ける際に、平行の状態を保って組み付けることができ、ひいては組立作業の作業性を高めることができる。特に、移動体の重心を調整することによって、移動体の中心軸とレンズの光軸とがずれるのを防ぐことができる。
【００２２】
（５）  前記位置検出手段は、少なくとも一部がカバー部で覆われていることを特徴とするレンズ駆動装置。
【００２３】
本発明によれば、上述した位置検出段は、少なくとも一部がカバー部で覆われていることとしたので、外部から粉塵や埃が位置検出手段に入り込むのを防ぐことができる。特に、光学式の位置検出手段を用いた場合には、不要な外光が入り込むのを防ぐことができる。
【００２４】
ここで、「カバー部」については、レンズ駆動装置を構成する部品（例えば支持体）で代用してもよいし、位置検出手段（の少なくとも一部）を覆うものを別途設けてもよい。
【００２５】
（６）  前記突起部は、前記支持体に対する前記移動体の度あたり部とは異なる位置に形成されていることを特徴とするレンズ駆動装置。
【００２６】
本発明によれば、突起部は、支持体に対する移動体の度あたり部とは異なる位置に形成されていることとしたので、移動体に度あたり部を有するレンズ駆動装置であっても、突起部を形成することができ、ひいては被写体へ焦点を精度良く合わせることができる。
【発明の効果】
【００２７】
本発明に係るレンズ駆動装置によれば、位置検出手段によって、光軸方向における移動体の相対位置を検出することができるので、レンズ駆動装置がどのような姿勢であっても、被写体へ焦点を精度良く合わせることができる。
【発明を実施するための最良の形態】
【００２８】
以下、本発明を実施するための最良の形態について、図面を参照しながら説明する。
【００２９】
［機械構成］
図１は、本発明の実施の形態に係るレンズ駆動装置１の外観構成を示す斜視図である。図２は、本発明の実施の形態に係るレンズ駆動装置１の機械構成を示す分解斜視図である。
【００３０】
図１及び図２において、レンズ駆動装置１は、ヨーク１１と、スペーサ１２と、スリーブ１３と、第１の板バネ１４と、第２の板バネ１５と、ワイヤースプリング１６と、マグネット１７と、コイル１８（第１のコイル１８１及び第２のコイル１８２）と、ホルダ１９と、カバー２０と、端子２１とを有し、レンズを光軸方向に変位駆動して、被写体の像を結像させるものである。
【００３１】
なお、スリーブ１３の内周側に取付けられるレンズが組み込まれたレンズバレル（鏡筒）については、図示を省略している。また、レンズ駆動装置１は、スリーブ１３を光軸Ｌの方向に沿って、被写体（撮像対象）に近づくＡ方向（前側）、被写体とは反対側（像側）に近づくＢ方向（後側）の双方向に移動させるものである（図１参照）。また、一又は複数枚のレンズが組み込まれたレンズバレル（上述のとおり図示せず）を保持するスリーブ１３は、ワイヤースプリング１６等と併せて光軸Ｌの方向に移動可能に構成されており、「移動体」の一例に相当する。また、ヨーク１１、スペーサ１２やホルダ１９などは、第１の板バネ１４及び第２の板バネ１５を介してスリーブ１３等を光軸Ｌの方向に移動可能に支持する「支持体」の一例に相当する。また、スリーブ１３等は、コイル１８やマグネット１７によって、光軸Ｌの方向に駆動されるため、これらコイル１８やマグネット１７は、スリーブ１３等を駆動する「駆動機構」の一例に相当する。
【００３２】
ヨーク１１は、レンズ駆動装置１の側面で露出しており、ケース体としての機能をしている。そして、この側面には、径方向外側に突出した、ヨーク側度あたり部１１ａと、センサ収納部１１ｂと、が形成されている。ヨーク側度あたり部１１ａは、その内面においてスリーブ側度あたり部１３ａと当接し、スリーブ１３が周方向に回転するのを防いでいる。センサ収納部１１ｂの詳細については、［位置検出］において後述する。
【００３３】
スペーサ１２は、ヨーク１１に接着によって取付けられ、その中央には、被写体からの反射光をレンズに取り込むための円形の入射窓１２１が形成されている。ホルダ１９は、像側で撮像素子（図示せず）を保持するものである。カバー２０は、４個の係合部２０ａを有しており、これらがヨーク１１に係合することによって、スペーサ１２が固定される。なお、カバー２０の中央にも、被写体からの反射光をレンズに取り込むための円形の入射窓２０１が形成されている。
【００３４】
コイル１８は、第１のコイル１８１及び第２のコイル１８２から構成され、これらは光軸Lの方向に２段に配置され、いずれも円環状となっている。そして、スリーブ１３の外周面に光軸方向に所定の間隔をおいて巻き付けられる（スリーブ１３側に保持されている）。また、８個のマグネット１７が光軸方向に２段に重ねて配置されており、各段のマグネット１７は、前側のマグネット１７が第１のコイル１８１に対して及び後側のマグネット１７は第２のコイル１８２に対して外周側で対向し、ヨーク１１の内周面のうち４箇所の角部分に接着固定される。
【００３５】
本実施形態では、マグネット１７は、いずれにおいても内面と外面とが異なる極に着磁されている。例えば、前側に配置された４個のマグネット１７は、その内面がＮ極に着磁され、外面がＳ極に着磁され、後側に配置された４個のマグネット１７は、その内面がＳ極に着磁され、外面がＮ極に着磁されている。
【００３６】
第１の板バネ１４及び第２の板バネ１５は、それぞれ、移動体取付け部１４a、および１５a、１５a´また、支持体取付け部１４ｂ、１４ｃ、１４ｄ、１４eおよび１５ｂ、１５ｃ、１５ｄ、１５eとを備えている。また、双方とも金属製の薄板から形成されており、光軸Ｌの方向における厚さを同じにしている。また、図２に示すように、第１の板バネ１４は移動体取付け部１４aが支持体であるスリーブ１３の光軸方向の前端面に取り付けられ、第２の板バネ１５は移動体取付け部１５a、および１５a´がスリーブ１３の光軸方向の後端面に取り付けられている。なお、第２の板バネ１５は、電気的に分離された２つのバネ片から構成され、外部電源からの電流をコイル１８に供給する際の媒体となるもので、コイル１８の巻き始めが一方のバネ片に、巻き終わりが他方のバネ片に電気的に接続されている。また、第２の板バネ１５のうち一方のバネ片には、２個の端子の２１のうちの一方が電気的に接続され、他方のバネ片には、他方の端子が電気的に接続される。また、第１の板バネ１４の支持体取付け部１４ｂ、１４ｃ、１４ｄ、１４eが固定体であるスペーサ１２の後側面に取付けられ、第２の板バネ１５の支持体取付け部１５ｂ、１５ｃ、１５ｄ、１５eが支持体であるホルダ１９の前側面に取付けられている。
【００３７】
ヨーク１１は磁性材料で形成されており、第１のコイル１８１及び第２のコイル１８２が配置されている領域の光軸方向の寸法、および、マグネット１７の光軸方向の寸法よりも大きくなっているため、前側のマグネット１７と第１のコイル１８１との間に構成される磁路、及び、後側のマグネット１７と第２のコイル１８２との間に構成される磁路からの漏れ磁束を少なくすることができ、その結果、スリーブ１３の移動量と、第１のコイル１８１及び第２のコイル１８２に流す電流との間のリニアリティを向上させることができるようになっている。
【００３８】
レンズ駆動装置１は、磁性手段としての円環状のワイヤースプリング１６を備えている。ワイヤースプリング１６は、マグネット１７との間に作用する磁気吸引力により、スリーブ１３に対して光軸Ｌの方向の付勢力を印加する。このため、移動体（スリーブ１３等）がコイルの非通電時に自重で変位することを防止することができ、ひいては移動体（スリーブ１３等）に所望の姿勢を維持させることができるようになっている。さらに、耐衝撃性を向上させている。
【００３９】
ここで、本実施形態に係るレンズ駆動装置１におけるスリーブ１３に、径方向外側に向かって突出する棒状の突起部１３ｂが形成されている（図２参照）。また、レンズ駆動装置１は、レンズの光軸方向におけるスリーブ１３の位置を検出する光学式センサ２２と、その光学式センサ２２を制御する基板２３とを有している。以下、図３〜図５を用いて、突起部１３ｂ，光学式センサ２２及び基板２３によるスリーブ１３の位置検出について詳述する。
【００４０】
［位置検出］
図３は、レンズ駆動装置１からヨーク１１のみを取り出したときの斜視図である。図４は、図３に示すレンズ駆動装置１をＸの方向から見たときの側面図である。図５は、図３に示すレンズ駆動装置１においてＡ−Ａ'の箇所を切断したときの側断面図である。
【００４１】
図３に示すように、マグネット片１７ａ及びマグネット片１７ｂと、マグネット片１７ｃ及びマグネット片１７ｄとの間には、周方向の隙間が形成されており、突起部１３ｂは、この隙間から径方向外側に向かって突出している。そして、突起部１３ｂのうち光学式センサ２２に対向する面１３２（図４）には、例えばアルミテープ，薄い金属膜，又は金属蒸着などによって、光学式センサ２２（のうちの発光素子）から出射した光を反射する反射面が形成されており、面１３２で反射した光は光学式センサ２２（のうちの受光素子）で受光される。光学式センサ２２は、基板２３と電気的に接続されており、面１３２における反射光を受光した後、光電変換によって所定の電流を生成する。そして、基板２３が、この電流の大きさやタイミング、出射から受光までの時間などを検知することによって、突起部１３ｂの位置、ひいてはスリーブ１３の光軸方向における相対位置を認識することができる。なお、基板２３は、レンズ駆動装置１が搭載される上位機器と電気的に接続されており、光電変換によって生成された電流（或いは電圧信号）を上位機器にフィードバックするようにしてもよい。
【００４２】
また、光学式センサ２２は、マグネット１７の外周側に配置されており、発光素子から出射した光がレンズに入り込まない構成となっている。より具体的には、図４及び図５に示すように、光学式センサ２２は、マグネット片１７ａ及びマグネット片１７ｂの外周面よりも径方向外側に配置されており、光学式センサ２２と面１３２との間を通過する光が、スリーブ１３の後側に配置される撮像素子（図示せず）に入り込まないような構成となっている。
【００４３】
突起部１３ｂのうちの面１３１側には、スペーサ１２の一部が延出した延出部１２ａがあり、カバー２０がヨーク１１と係合する際に、この延出部１２ａはセンサ収納部１１ｂ（図１）と密着する。これにより、光学式センサ２２のほぼ全方位を覆うことができ、外部光ができるだけセンサ収納部１１ｂの内部に入り込まないようにしている。
【００４４】
なお、スペーサ１２の延出部１２ａやヨーク１１は、光学式センサ２２の少なくとも一部を覆う「カバー部」の一例として機能する。また、ヨーク１１は、例えば鋼板などの強磁性板（磁性体）などの材質からなり、曲げ加工又は絞り加工によって形成することができる。絞り加工によって形成することで、ヨーク側度あたり部１１ａやセンサ収納部１１ｂの加工容易性を高めることができる。
【００４５】
一方で、スペーサ１２のうち延出部１２ａの径方向反対側には延出部１２ｂが形成されており、スリーブ１３のうち突出部１３ｂの径方向反対側には突出部１３ｃが形成されており、これら延出部１２ｂと突出部１３ｃによって、レンズ駆動装置１の重心を調整することができる。すなわち、延出部１２ｂ及び突出部１３ｃは、共にレンズの光軸を挟んで光学式センサ２２と反対側の位置に形成されており、それぞれカバー１２の重心及びスリーブ１３の重心を調整する。なお、延出部１２ｂや突出部１３ｃは、重心を調整する「バランサー２４」（図４参照）の一例として機能する。
【００４６】
上述した延出部１２ａ及び突出部１３ｂ並びに上述した延出部１２ｂと突出部１３ｃとは、上述したスリーブ側度あたり部１３ａが突出する方向とは異なる方向に突出している。すなわち、これらは、ヨーク１１に対するスリーブ１３のスリーブ側度あたり部１３ａとは（周方向の）異なる位置に形成されている。これにより、光学式センサ２２を配置する際、スリーブ側度あたり部１３ａが邪魔になることはない。
【００４７】
このように、突起部１３ｂを利用して、光学式センサ２２においてスリーブ１３の光軸方向における相対的な位置を検出することによって、被写体への焦点を、より正確に合わせることができる。
【００４８】
［基本動作］
本実施形態に係るレンズ駆動装置１において、移動体は、通常（第１のコイル１８１及び第２のコイル１８２のコイルの非通電時）は、撮像素子側（像側）に位置する。このとき、ワイヤースプリング１６は、マグネット１７との間に作用する磁気吸引力によって、移動体の変位を規制している。ただし、ワイヤースプリング１６とマグネット１７との距離はある程度保たれているため、ワイヤースプリング１６とマグネット１７との磁気吸引力が強くなり過ぎることはない。これにより、移動体の中心軸がずれるのを防ぎ、ひいてはチルト特性の悪化を防ぐことができる。
【００４９】
このような状態において、第１のコイル１８１及び第２のコイル１８２に電流を流すと、第１のコイル１８１及び第２のコイル１８２は、それぞれ上向き（前側）の電磁力を受けることになる。これにより、第１のコイル１８１及び第２のコイル１８２並びにスリーブ１３は、被写体側（前側）に移動し始める。
【００５０】
このとき、第１の板バネ１４とスリーブ１３の前端との間、及び第２の板バネ１５とスリーブ１３の後端との間、またマグネット１７とワイヤースプリング１６との磁気吸引力には、それぞれスリーブ１３の移動を規制する弾性力が発生する。このため、スリーブ１３を前側に移動させようとする電磁力と、スリーブ１３の移動を規制する弾性力及び磁気吸引力が釣り合ったとき、スリーブ１３は停止する。また、第１のコイル１８１及び第２のコイル１８２に、逆方向の電流を流すと、第１のコイル１８１及び第２のコイル１８２は、それぞれ下向き（後側）の電磁力を受けることになる。
【００５１】
その際、第１のコイル１８１及び第２のコイル１８２に流す電流量と、第１の板バネ１４及び第２の板バネ１５によってスリーブ１３に働く弾性力を調整することで、スリーブ１３（移動体）を所望の位置に停止させることができる。
【００５２】
ここで、仮にレンズ駆動装置１の姿勢が変わり、所望の位置からずれてしまった場合であっても、本実施形態に係るレンズ駆動装置１によれば、例えばレンズ駆動装置を作動させる際に光学式センサ２２で突起部１３ｂの変位を検出し、そして、基板２３が、この電流の大きさやタイミング、出射から受光までの時間などを検知することによって基板２３においてスリーブ１３のずれを検知することができるので、第１のコイル１８１及び第２のコイル１８２に流す電流量を変える等して、スリーブ１３（移動体）を所望の位置に停止させることができる。なお、電磁力と弾性力および磁気吸引力との釣り合いを利用してスリーブ１３を停止させることで、係止部等と係止させるように部材同士を接触させる場合と異なり、衝突音の発生を防ぐことができる。
【００５３】
［実施形態の主な効果］
本実施形態に係るレンズ駆動装置１によれば、光学式センサ２２を利用してスリーブ１３の相対位置を検出することによって、スリーブ１３を所望の位置に精度良く停止させることができる。その結果、レンズ駆動装置１がどのような姿勢であっても、被写体へ焦点を精度良く合わせることができる。
【００５４】
また、光学式センサ２２をマグネット１７の外周側に配置することによって、レンズ駆動装置１の光軸方向の厚みが増すのを防ぐことができ、ひいては装置全体の薄型化を図ることができる。
【００５５】
また、光学式センサ２２で受光する反射光を生成する突起部１３ｂは、分割されたマグネット１７の隙間（具体的には、マグネット片１７ａ及びマグネット片１７ｂと、マグネット片１７ｃ及びマグネット片１７ｄとの間の隙間）を通じて径方向外側に突出しているので、突起部１３ｂを形成するにあたってマグネット片１７を削減する必要がない。そのため、スリーブ１３の推進力低下を防ぐことができる。
【００５６】
また、位置検出手段として光学式センサ２２を用いた場合であっても、マグネット１７の存在により、その発光素子から出射された光が撮像素子に入り込むのを防ぐことができる。
【００５７】
また、突起部１３ｂの面１３２には、金属蒸着等によって反射面が形成されているため、突起部１３ｂが如何なる材質であっても、光学的にスリーブ１３の相対位置を検出することができる。なお、突起部１３ｂの面１３２は表面を滑らかに研磨してあって光を反射するようになっていれば、樹脂等で形成されていてもよい。
【００５８】
また、スリーブ１３の重心を通る線とレンズの光軸Ｌとが一致するように、レンズの光軸Ｌを挟んで、突出部１３ｂと反対側の位置に突出部１３ｃ（バランサー２４）が形成されているので、スリーブ１３の中心軸とレンズの光軸とがずれるのを防ぐことができる。また、レンズの光軸Ｌを挟んで、延出部１２ａと反対側の位置に延出部１２ｂが形成されているので、スペーサ１２をヨーク１１に取り付ける際に、作業性を高めることができる（スペーサ１２を取り付けやすくなる）。
【００５９】
また、光学式センサ２２は、ヨーク１１のセンサ収納部１１ｂや延出部１２ａによって、ほぼ全方位が覆われているので、不要な外光が入り込むのを防ぐことができる。
【００６０】
さらに、突出部１３ｂは、スリーブ側度あたり部１３ａとは異なる位置に形成されているので、これを有するレンズ駆動装置１においても、突出部１３を適切に形成することができる。
【００６１】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００６２】
本発明に係るレンズ駆動装置は、被写体へ焦点を精度良く合わせるものして有用である。
【図面の簡単な説明】
【００６３】
【図１】本発明の実施の形態に係るレンズ駆動装置の外観構成を示す斜視図である。
【図２】本発明の実施の形態に係るレンズ駆動装置の機械構成を示す分解斜視図である。
【図３】レンズ駆動装置からヨークのみを取り出したときの斜視図である。
【図４】図３に示すレンズ駆動装置をＸの方向から見たときの側面図である。
【図５】図３に示すレンズ駆動装置においてＡ−Ａ'の箇所を切断したときの側断面図である。
【符号の説明】
【００６４】
１  レンズ駆動装置
１１  ヨーク
１１ａ  ヨーク側度あたり部
１２  スペーサ
１２ａ，１２ｂ  延出部
１３  スリーブ
１３ａ  スリーブ側度あたり部
１３ｂ，１３ｃ  突出部
１４  第１の板バネ
１５  第２の板バネ
１６  ワイヤースプリング
１７  マグネット
１７ａ〜１７ｄ  マグネット片
１８  コイル
１９  ホルダ
２０  カバー部
２１  端子
２２  光学式センサ
２３  基板
【図１】
2009145706.tif 000003
【図２】
2009145706.tif 000004
【図３】
2009145706.tif 000005
【図４】
2009145706.tif 000006
【図５】
2009145706.tif 000007